(57)【要約】【課題】有利な生産可能性を与える一方で有利な塗布特性を示すように塗布具をさらに改良する。【解決手段】ロッドに連結可能な細長い本体を有する、特にマスカラ、ヘアダイ又は同様の化粧品のための塗布具であって、前記本体は比較的硬い合成材料からできており、管状の毛体も比較的柔らかい合成材料でできた毛状の半径方向外側に突出した延長部を有する塗布具において、有利な生産可能性及び丈夫な操作特性を得るために、毛体（３）が本体（２）に対して軸方向に固定された塗布具により解決される。【選択図】図１
2007044501.tif 000002
【特許請求の範囲】
【請求項１】
ロッドに連結可能な細長い本体を有する、特にマスカラ、ヘアダイ又は同様の化粧品のための塗布具であって、
前記本体は比較的硬い合成材料からできており、管状の毛体も比較的柔らかい合成材料でできた毛状の半径方向外側に突出した延長部を有する塗布具において、
本体（２）が毛体に形成され、自由末端部（８）において固定キャップ（１２）が毛体（３）に重なるようにして、毛体（３）が本体（２）に対して軸方向に固定された塗布具。
【請求項２】
本体（２）が、毛体（３）の対応する環状溝（７）に係合する環状ビード（６）を有することを特徴とする請求項１に記載の塗布具。
【請求項３】
固定キャップ（１２）が本体（２）のキャビティ（１４）に係合するロッド延長部（１３）を有することを特徴とする請求項１に記載の塗布具。
【請求項４】
ロッド延長部（１３）が、本体（２）のキャビティ（１４）の環状溝（１６）に嵌合する環状ビード（１５）を有することを特徴とする請求項３に記載の塗布具。
【請求項５】
本体の自由末端部がそれと一体に射出成形された半径方向に突出する固定キャップ（９）を有し、
その外径は毛体（３）の外径にほぼ一致し、固定キャップは毛体（３）を軸方向に固定することを特徴とする請求項１に記載の塗布具。
【請求項６】
ロッド延長部（１３）、本体（２）及び固定キャップ（９）が一体に射出成形されることを特徴とする請求項５に記載の塗布具。
【請求項７】
ロッドに連結可能な細長い本体を有する、特にマスカラ、ヘアダイ又は同様の化粧品のための塗布具であって、
前記本体は比較的硬い合成材料からできており、管状の毛体も比較的柔らかい合成材料でできた毛状の半径方向外側に突出した延長部を有する塗布具において、
ロッド延長部（２２）が円錐形キャビティ（２３）を有し、毛体（３）がグリッパー状の内側端部（２１）を具備し、ロッド延長部（２２）が滑らされると、端に位置したグリッパー延長部（２１）のグリッパーアーム（２５）が本体（２）のキャビティ（２６）に押し込まれるようにして、毛体（３）が本体（２）に対して軸方向に固定されることを特徴とする塗布具。
【発明の詳細な説明】
【技術分野】
【０００１】
本発明は、ロッドに連結可能な細長い本体を有する、特にマスカラ、ヘアダイ又は同様の化粧品のための塗布具に関する。この本体は比較的硬い合成材料からできており、管状毛体も比較的柔らかい合成材料でできた毛状の半径方向外側に突出した延長部を有する。このタイプの塗布具は特許文献１，２又は３から知られている。
【背景技術】
【０００２】
このタイプの塗布具の主な利点は、これが経済的に製造できる点にある。比較的硬い合成材料の本体は必要な安定性をもたらす一方で、柔らかい合成材料の毛体は対応する柔らかい毛状の延長部の形成を可能にする。
【０００３】
【特許文献１】ＥＰ００３８５２４Ａ１
【特許文献２】ＤＥ２５５９２７３Ａ１
【特許文献３】ＷＯ０２／０５６７２６Ａ
【発明の開示】
【発明が解決しようとする課題】
【０００４】
本発明の目的は、有利な生産可能性を与える一方で有利な塗布特性を示すようにこのタイプの塗布具をさらに改良することである。
【課題を解決するための手段】
【０００５】
この目的を達成するために、本体がそこに形成し、自由末端部では固定キャップが毛体に重なように毛体が本体に対して軸方向に固定される。
【０００６】
この種の軸固定により、操作の際、例えばマスカラユニットの場合は特に塗布具をリザーバに出し入れする際、毛体の位置はワイパー手段を通過する間安定したままになる。
【０００７】
本発明の別な発展形態では、本体は、毛体の対応する環状溝に係合する環状ビードを有し、従って軸方向の固定が作られる。本発明の枠組み内では、逆のアプローチとして環状溝が本体に形成されてもよい。
【０００８】
この固定キャップは本体のキャビティ（空洞）に係合するロッド延長部を有すると有利である。当該ロッド延長部は特に本体のキャビティの環状溝に嵌合する環状ビードを具備する。
【０００９】
別な実施形態では、本体の自由末端部はそれと一体に射出成形された半径方向に突出する固定キャップを有する。スタンプによる熱成形の後、その外径は毛体の外径にほぼ一致する。固定キャップは、２成形材料の射出成形工程での射出成形により取り付けられる又は滑らされる毛体を軸方向に固定する。
【００１０】
第３の実施形態では、毛体は自由末端部の領域に、本体の正面壁に着座する正面壁を有する。
【００１１】
さらには、毛体の軸方向の固定のために、ロッド延長部は円錐形キャビティを有し、毛体はグリッパー状の内側端部を具備し、ロッド延長部が滑らされると、端に位置したグリッパー延長部のグリッパーアームは本体のキャビティに押し込まれるようにして、毛体が本体に対して軸方向に固定される。
【００１２】
本発明を図面に関連して好ましい実施例に基づいて以下により詳細に説明する。
【発明を実施するための最良の形態】
【００１３】
図面に示された塗布具１は、比較的硬い材料と比較的硬い合成材料からなる本体２と、半径方向外側に延びる毛状の延長部４に射出成形された比較的柔らかい合成材料でできた毛体３を有する。本体２は、ロッドに連結するロッド延長部５と一体に射出成形される。
【００１４】
ロッドは、ねじ込みキャップのカバーの内側に本質的に知られた手法で連結している。ねじ込みキャップは、例えばマスカラなどの所与の化粧製品の容器の外側ねじ山にねじ込まれる。
【００１５】
特にワイパー手段を通る際、毛体３を軸方向に本体２に対して固定するために、本体２は、毛体３上の対応する周囲溝７に係合する環状ビード６を有する。本体２の末端部８に固定キャップ９が設けられるように別な固定が行われる。その外径は毛体３の外径とほぼ一致する。
【００１６】
基本的に図１の実施形態のように作られた図２に示された実施形態は、固定キャップ９の代わりに、毛体３と一体に射出成形された正面壁１０を備える。当該正面壁１０は本体２の末端部８で前面１１に当接している。
【００１７】
図３に従う実施形態は、本体２の末端部８に、図１の実施例の固定キャップ９に対応する固定キャップ１２を備える。しかしながら、これは本体２と一体に形成されておらず、代わりにロッド延長部１３を有する。ロッド延長部は本体２のキャビティ１４に係合し、環状ビード１５とキャビティ１４の内壁における対応する環状溝１６とによってそこで固定される。
【００１８】
図４の実施形態では、本体２は、円錐台が自由端に向かってテーパーがつくように円錐形状を有した複数のカラー状突出部１７を有する。それに対応して毛体３が本体２に設けられると、突出部１７はかえしのように作用し、毛体３が外れるのを防ぐ。
【００１９】
図５によれば、自由端１８が毛体３を越えて突出するように本体２が寸法決めされる。次いで、矢印２０の方向に加熱されたスタンプ１９を押し付けることで、この自由端１８は変形し、図１に示されるように固定キャップが作られる。
【００２０】
図６に従う実施形態では、毛体３は内側端部２１のようなグリッパーを有する。ロッド延長部２２が円錐形キャビティ２３を具備する。ロッド延長部２２を滑らせると、円錐形開口２３がグリッパー延長部２１の同様の円錐形領域２４に重なり、端部のグリッパーアーム２５は本体２の穴２６に押し込まれ、このようにして硬い連結が創出される。
【００２１】
図７に従う実施形態では、本体２は、放射状穴２８に開口する縦に延びる溝２７を有する。溝２７を介して糊が詰め込まれる。糊は放射状穴２８を介して出て、毛体３と本体２を確実に連結する。
【００２２】
図８に示されているのは、本体２がロッド延長部２２と一体に形成された実施形態である。これは、図６によれば環状溝の形状で提供された円錐形キャビティ２３を有し、そこに毛体の同様の円錐形端部２９が係合し、ラジアルピン３０を用いてそこにロックされる。毛体３の内側端部２１はロッド延長部２２に円錐状に移行する。
【００２３】
この設計の結果、拭き工程の際、ワイパーが拭き工程の際に移行領域に引っかかるのを防ぐ。その結果、曲がってたるむ毛体が硬い本体２から引っ張られない。
【００２４】
特に図４から分かるように、取り付け延長部２２は本体２のロッド延長部に対して、毛体３の延長部が収容される環状溝が作られるように寸法決めされる。
【００２５】
毛体３は２つの延長部を有し、これらは互いに距離を置いて延び、端に内側に突出するピンを有する。よって、ロッド延長部２２を滑らせると、延長部はロッド延長部２２の円錐形キャビティの内壁により内側にグリッパーのように押され、従って本体２の対応するキャビティに係合し、固定される。
【００２６】
ロッド延長部２は回転しないようにするために多角形、例えば五角形に実行される。
【００２７】
毛は実施例に示されるように円錐形が好ましく、しかし丸みをおびるか、円錐形又はのみ形の先端を有していればよい。毛の断面は丸いか、円形形状からずれてもよい。毛の数は３０〜６００の間である。毛は軸方向に櫛を形成する。
【図面の簡単な説明】
【００２８】
【図１】本発明の塗布具の第１実施形態の縦断面を示す。
【図２】第２実施形態を通る縦断面を示す。
【図３】第３実施形態を通る縦断面を示す。
【図４】第４実施形態を通る縦断面を示す。
【図５】図１の実施形態を実行するための１つの可能性の縦断面を示す。
【図６】ブラシのロッドへの固定に関する図２の実施形態の縦断面を示す。
【図７】別な固定バリエーションに関する図６に従う縦断面を示す。
【図８】第３の固定バリエーションを示すための図２の実施形態に従う縦断面を示す。
【符号の説明】
【００２９】
１  塗布具
２  本体
３  毛体
４  毛状の延長部
５  ロッド延長部
６  環状ビード
７  周囲溝
８  末端部
９  固定キャップ
１０  正面壁
１１  前面
１２  固定キャップ
１３  ロッド延長部
１４  キャビティ
１５  環状ビード
１６  環状溝
１７  カラー状突出部
１８  自由端
１９  スタンプ
２０  矢印
２１  内側端部
２２  ロッド延長部
２３  キャビティ
２４  領域
２５  グリッパーアーム
２６  穴
２７  溝
２８  放射状穴
２９  端部
３０  ラジアルピン
３１  内側端部
【図１】
2007044501.tif 000003
【図２】
2007044501.tif 000004
【図３】
2007044501.tif 000005
【図４】
2007044501.tif 000006
【図５】
2007044501.tif 000007
【図６】
2007044501.tif 000008
【図７】
2007044501.tif 000009
【図８】
2007044501.tif 000010